(57)【特許請求の範囲】
【請求項１】
ナースコールシステムと連動し患者の看護業務を支援するための看護業務支援システムであって、
固有のＩＤが付与され、複数のベッドの寝床にそれぞれ設けられた振動発生装置と、
前記ベッドと前記ＩＤとが関連付けて記憶された記憶部、前記ＩＤ及び前記振動発生装置に振動を発生するよう指示する操作指示を受け付ける第１の操作受付部、前記第１の操作受付部で前記操作指示が受け付けられると前記ＩＤが付与された前記振動発生装置に振動を発生するよう指示を送信する送信部を有する振動指示装置と
を備え、
前記振動発生装置は、ナースコール呼出を行った患者のベッドに関連付けられた前記ＩＤを前記振動指示装置へ送信し、
前記第１の操作受付部は、前記振動発生装置から送信されてきた前記ＩＤを利用した前記操作指示を受け付けるように構成されることを特徴とする看護業務支援システム。
【請求項２】
前記振動指示装置の記憶部には、
前記看護業務を行う患者のベッドに対応する前記振動発生装置のＩＤと、前記看護業務を行う日時とが関連付けて記憶され、
振動指示装置は、
前記記憶部に記憶されている前記ＩＤ及び前記日時に基づいて、前記振動発生装置に振動を発生するよう指示する請求項１に記載の看護業務支援システム。
【請求項３】
前記振動指示装置は、
前記看護業務を行う患者のベッドに対応する前記振動発生装置のＩＤ及び前記看護業務を行う日時の少なくとも一方の編集操作を受け付ける第２の操作受付部と、
前記第２の操作受付部で受け付けた編集内容に基づいて、前記記憶部に記憶されている前記ＩＤ及び前記日時の少なくとも一方を更新する更新部と
を備える請求項２に記載の看護業務支援システム。
【請求項４】
前記振動指示装置は、
前記看護業務の内容に応じて、前記振動発生装置に発生させる振動の種類を変化させる請求項２又は請求項３に記載の看護業務支援システム。
【請求項５】
前記振動発生装置は、
前記ベッドの長手方向に沿って延在するように設けられている請求項１乃至請求項４のいずれかに記載の看護業務支援システム。
【発明の詳細な説明】
【技術分野】
【０００１】
本発明は、病院や介護施設における患者への看護行為を効率的に支援できる看護業務支援システム及び看護業務支援方法に関する。
【背景技術】
【０００２】
病院や介護施設等においては、いわゆるナースコールシステムを導入しているところがある。このナースコールシステムは、患者が操作するナースコール子機とナースコール子機からの呼び出しに看護師が応答するためにナースステーションに設置されたナースコール親機とを備えている。また、ナースコール親機は、ナースコール子機を使用した呼び出し（ナースコール呼出）が発生した場合、呼出元の患者情報を表示するディスプレイを備えている。
【０００３】
ナースコールシステムを導入することで、患者は、必要に応じてナースコール子機を操作してナースコールを行うと、上記ディスプレイに表示される呼出元情報により、応答した看護師はその後の処置をスムーズに行うことができる（例えば、特許文献１参照）。また、個々の看護師が端末を所持して、その端末に呼出元の患者情報を表示するシステムも実現されている。
【先行技術文献】
【特許文献】
【０００４】
【特許文献１】特開２０１４−０４２７１１号公報
【発明の概要】
【発明が解決しようとする課題】
【０００５】
上記のような病院や介護施設では、患者は、体調の不良や身の回りの世話などを頼むべく、ナースコール呼出により看護師を呼び出すことがしばしばある。このナースコール呼出に対し、看護師がすぐに対応しないとナースコール呼出を繰り返すことがある。このようにナースコール呼出を繰り返した患者は、病院の対応に強い不満を持つことが多い。一方、ナースコール呼出に対応する看護婦は、一人の患者による一件の用事により、ナースコール呼出が複数回発生する繰り返しなされることにより、その対応に時間をとられる。このため、看護業務が非効率となる。
【０００６】
また、上記のような病院や介護施設では、患者のベッドを定期的に巡回して看護が行われるが、この巡回の際に患者がベッドから離れていたりすると、該患者の呼び出しや探索が必要となる。また、巡回の時間が遅れた場合等に患者が確認のためにナースコール呼出を行うと、その対応に時間をとられる。このため、看護業務が非効率となる。
【０００７】
近年では、高齢化の加速や医療技術の進歩により医療費は増加する一方、経済の潜在成長率は低く保険財政の制約は強まっている。このため、医療の効率化が一層求められており、上記のような非効率な看護業務の改善が強く求められている。
【０００８】
本発明は、上記課題の解決のためになされたものであり、病院や介護施設における患者への看護行為の効率化を支援する看護業務支援システム及び看護業務支援方法を提供することを目的とする。
【課題を解決するための手段】
【０００９】
上記の課題を解決すべく、本発明に係る看護業務支援システムは、患者の看護業務を支援するための看護業務支援システムであって、固有のＩＤが付与され、複数のベッドの寝床にそれぞれ設けられた振動発生装置と、ベッドとＩＤとが関連付けて記憶された記憶部を有し、振動発生装置に振動を発生するよう指示する振動指示装置とを備える。
【００１０】
本発明では、訪問看護や診療の前に、予めベッドを振動させることで、看者に訪問看護もしくは診療が行われることを伝達することができる。このため、訪問看護の際に患者がベッドから離れ、該患者の呼び出しや探索が必要となることを抑制できる。また、患者が確認のためにナースコール呼出を行い、その対応に時間をとられることを抑制できる。このため、看護業務を効率的に行うことができる。また、音声ではなく、振動により伝達を行うので、相部屋等の場合にも迷惑とならない。さらに、難聴の患者にも確実に伝達することができる。
【００１１】
本発明に係る看護業務支援システムの振動指示装置は、振動発生装置に振動を発生するよう指示する操作指示を受け付ける第１の操作受付部を備え、第１の操作受付部で操作指示が受け付けられると、振動発生装置に振動を発生するよう指示する。
【００１２】
本発明では、振動発生装置に振動を発生するよう指示する操作指示を受け付ける第１の操作受付部を備え、第１の操作受付部で操作指示が受け付けられると、振動発生装置に振動を発生するよう指示するよう構成されている。
【００１３】
このため、ナースコール呼出がなされた場合に、ナースが振動発生装置に振動を発生するよう指示することで、振動発生装置に振動を発生させ、ナースコールがきちんと伝達されたことを患者に伝えることができる。この結果、患者がナースコール呼出を繰り返すことを抑制することができる。また、患者が、病院の対応に強い不満を持つことを低減することができる。さらに、ナースコール呼出に対応する看護婦が、一人の患者による一件の用事により、ナースコール呼出が複数回発生する繰り返しなされることにより、その対応に時間をとられることを防ぐことができる。この結果、看護業務が非効率となることを抑制できる。
【００１４】
本発明に係る看護業務支援システムの振動指示装置の記憶部には、看護業務を行う患者のベッドに対応する振動発生装置のＩＤと、看護業務を行う日時とが関連付けて記憶され、振動指示装置は、記憶部に記憶されているＩＤ及び日時に基づいて、振動発生装置に振動を発生するよう指示する。
【００１５】
本発明では、記憶部に記憶されている看護業務の日時に基づいて、看護業務が必要なベッドの振動発生装置が自動で振動を発生するため、看護業務をより効率的に行うことができる。
【００１６】
本発明に係る看護業務支援システムの振動指示装置は、看護業務を行う患者のベッドに対応する振動発生装置のＩＤ及び看護業務を行う日時の少なくとも一方の編集操作を受け付ける操作受付部と、操作受付部で受け付けた編集内容に基づいて、記憶部に記憶されているＩＤ及び前記日時の少なくとも一方を更新する更新部とを備える。
【００１７】
本発明では、看護業務を行う患者のベッドに対応する振動発生装置のＩＤ及び看護業務を行う日時の少なくとも一方を必要に応じて編集することができるため、看護業務をさらに効率的に行うことができる。
【００１８】
本発明に係る看護業務支援システムの振動指示装置は、看護業務の内容に応じて、振動発生装置に発生させる振動の種類を変化させる。
【００１９】
本発明では、看護業務の内容に応じて、振動発生装置に発生させる振動の種類を変化させるので、患者が看護業務の内容を確認するためにナースコール呼出を行うことを抑制することができ、その対応に時間をとられることが減る。このため、看護業務を効率的に行うことができる。また、看護業務の内容が分かるので、患者の安心感が向上する。
【００２０】
本発明に係る看護業務支援システムの振動発生装置は、ベッドの長手方向に沿って延在するように設けられている。
【００２１】
本発明では、振動発生装置がベッドの長手方向に沿って延在するように設けられているので、患者がベッドで仰臥、伏臥等、種々の体勢をとっていても、確実に振動を伝達することができる。
【００２２】
上記の課題を解決すべく、本発明の看護業務支援方法は、患者の看護業務を支援するための看護業務支援方法であって、複数のベッドの寝床に振動を発生する振動発生装置を設ける工程と、振動指示装置が、振動発生装置に振動を発生するよう指示する工程とを有する。
【発明の効果】
【００２３】
以上説明したように、本発明によれば、病院や介護施設における患者への看護行為の効率化を支援する看護業務支援システム及び看護業務支援方法を提供することができる。
【図面の簡単な説明】
【００２４】
【図１】看護業務支援システムの概略図である。
【図２】看護業務支援システムが備える振動発生装置の構成図である。
【図３】看護業務支援システムが備える振動指示装置の構成図である。
【図４】看護業務支援システムの動作を示すフローチャートである。
【図５】看護業務支援システムの動作を示すフローチャートである。
【図６】看護業務支援システムの動作を示すフローチャートである。
【発明を実施するための形態】
【００２５】
以下、図面を参照して本発明の実施の形態を説明する。
【００２６】
（第１の実施形態）
図１に示すように、第１の実施形態に係る看護業務支援システム１は、振動発生装置２及び振動指示装置３を備える。振動発生装置２と振動指示装置３とは、無線ＬＡＮや有線ＬＡＮ等のネットワーク４により接続されている（図１には、有線ＬＡＮにより接続されている例を示した）。振動発生装置２は、病院や介護施設等の病室内に配置された複数のベッド５にそれぞれ設けられている。振動指示装置３は、病院内や介護施設内の医療従事者が常駐するスタッフルーム（例えば、ナースステーションなど）に設けられている親機３Ａと、ユーザ（例えば、看護師、医師、オペレータ等）が携帯する複数の子機３Ｂを備えている。子機３Ｂは、病院や介護施設内に設けられたアクセスポイント６等を介して、無線により親機３Ａに接続されている。
【００２７】
図２は、振動発生装置２の構成図である。振動発生装置２は、受信部２０１、制御部２０２、振動発生器２０３、記憶部２０４を備える。受信部２０１は、振動指示装置３から送信される振動発生指示信号を受信する。制御部２０２は、受信部２０１が受信した振動発生指示信号に基づいて振動発生器２０３の振動を制御する。振動発生器２０３は、ベッド５の長手方向に沿って延在するように設けられている。記憶部２０４は、固有のＩＤが記憶されている。
【００２８】
振動指示装置３は、例えば、コンピュータであり、キーボード、マウス、タッチパネル等の入出力装置、ＣＰＵ（Central Processing Unit）等の演算部及びＲＡＭ（Random Access Memory）、ＲＯＭ（read only memory）等の記憶装置を備えた本体、ＣＲＴ（Cathode Ray Tube）やＬＣＤ（Liquid Crystal Display）等の表示装置等から構成される。
【００２９】
図３は、振動指示装置３の親機３Ａ構成図である。振動指示装置３は、記憶部３０１、制御部３０２、送信部３０３、表示制御部３０４、第１の操作受付部３０５、第２の操作受付部３０６、更新部３０７、内蔵時計３０８を備える。
【００３０】
記憶部３０１には、ベッド５及びベッド５に設けられた振動発生装置２のＩＤが関連付けて記憶されている。また、記憶部３０１には、看護業務を行う日時、看護業務を行う患者のベッド５に設けられた振動発生装置２のＩＤ及び看護業務の種類（看護業務の内容）が関連付けて記憶されている。なお、振動発生装置２のＩＤに患者の氏名を関連付けて記憶させるようにしてもよい。
【００３１】
制御部３０２は、後述する第１の操作受付部３０５で、振動発生装置２のＩＤ及び該振動発生装置２に振動を発生するよう指示する操作指示が受け付けられると、前記ＩＤを有する振動発生装置２に振動を発生するよう指示する。また、制御部３０２は、記憶部３０１に記憶されている振動発生装置２のＩＤ及び看護業務を行う日時に基づいて、振動発生装置２に振動を発生するよう指示する。なお、現在日時は、内蔵時計３０８から取得する。この際、制御部３０２は、振動発生装置２のＩＤ及び看護業務を行う日時に関連付けられている看護業務の種類（看護業務の内容）に応じて、振動発生装置２に発生させる振動の種類を変化させる。ここで、振動の種類は、例えば、振動の強さ、振動の間隔（リズム）及び振動の回数の組み合わせで決まる。
【００３２】
ここで、看護業務の種類とは、例えば、血圧測定、血液採取及び尿採採取等の回診や、回診における医師の補助、決められた時間における医薬品の投与、食事の配膳、補助、後片付け、入浴の世話等の定期的に行われるルーチン的な看護業務だけでなく、突発的（イレギュラ）な看護業務も含まれる。
【００３３】
送信部３０３は、制御部３０２からの振動指示を送信する。送信部３０３から送信される振動指示は、ネットワーク４を介して振動発生装置２の受信部２０１で受信される。
【００３４】
表示制御部３０４は、記憶部３０１に記憶されているデータを編集する編集画面を表示する。ユーザは、第２の操作受付部３０６を操作して、表示制御部３０４に表示された編集画面を編集して、記憶部３０１に記憶されているデータを編集することができる。
【００３５】
第１の操作受付部３０５は、ユーザが親機３Ａのマウスやキーボード等又は子機３Ｂを操作して入力する振動発生装置２のＩＤ及び振動指示（振動発生装置２に振動を発生するよう指示する操作指示）を受け付ける。
【００３６】
第２の操作受付部３０６は、ユーザがマウスやキーボード等を操作して入力する編集操作を受け付ける。具体的には、記憶部３０１に記憶されているベッド５及びベッド５に設けられた振動発生装置２のＩＤ、看護業務を行う日時、看護業務を行う患者のベッド５に設けられた振動発生装置２のＩＤ及び看護業務の種類（看護業務の内容）の更新や新規作成の編集操作を受け付ける。
【００３７】
更新部３０７は、第２の操作受付部３０６で受け付けた内容に基づいて、記憶部３０１に記憶されているデータ、つまりベッド５及びベッド５に設けられた振動発生装置２のＩＤ、看護業務を行う日時、看護業務を行う患者のベッド５に設けられた振動発生装置２のＩＤ及び看護業務の種類（看護業務の内容）を更新する。
【００３８】
内蔵時計２０７は、日時を計測する。
【００３９】
図４〜図６は、本実施形態に係る看護業務支援システム１の動作を示すフローチャートである。
【００４０】
初めに、図４を参照して、ユーザが親機３Ａ又は子機３Ｂを操作して振動発生装置２の振動発生器２０３を振動させる動作について説明する。
【００４１】
振動指示装置３の第１の操作受付部３０５は、ユーザが親機３Ａのマウスやキーボード等又は子機３Ｂのタッチパネル等を操作して入力される振動発生装置２のＩＤ及び振動指示（振動発生装置２に振動を発生するよう指示する操作指示）の受付を常時判定している（Ｓ１０１）。
【００４２】
第１の操作受付部３０５が、ベッドのＩＤ及び振動指示を受け付けると（Ｓ１０１のＹｅｓ）、制御部３０２は、振動発生装置２に振動を発生するように指示する。具体的には、制御部３０２は、該振動指示を、受け付けた振動発生装置２のＩＤとともに送信するよう送信部３０３に指示する。送信部３０３は、制御部３０２の指示に基づいて、前記振動指示を、前記振動発生装置２のＩＤとともに送信する（Ｓ１０２）。
【００４３】
振動指示装置３の送信部３０３から送信された振動指示は、該振動指示とともに送信されたＩＤを有する振動発生装置２の受信部２０１で受信される（Ｓ１０３）。次に、振動発生装置２の制御部２０２は、受信部２０１で受信された振動指示に基づいて振動発生器２０３を振動させる（Ｓ１０４）。
【００４４】
次に、図５を参照して、看護業務支援システム１のデータ編集時の動作について説明する。
【００４５】
初めに、ユーザがマウスやキーボード等を操作して、振動指示装置３の記憶部３０１の編集画面を表示させる指示を出すと、該指示が第２の操作受付部３０６で受け付けられる（Ｓ２０１）。制御部３０２は、該指示が第２の操作受付部３０６で受け付けられると、ＬＣＤ等の表示装置に編集画面を表示するように表示制御部３０４に指示すると、表示制御部３０４は、ＬＣＤ等の表示装置に編集画面を表示する。
【００４６】
次に、ユーザは、マウスやキーボード等を操作して、データの新規作成かすでに登録されているデータの編集かを選択する（Ｓ２０２）。データの新規作成の場合（Ｓ２０２のＹｅｓ）、制御部３０２は、ＬＣＤ等の表示装置に新規作成画面を表示するように表示制御部３０４に指示し、表示制御部３０４は、ＬＣＤ等の表示装置に新規作成画面を表示する（Ｓ２０３）。
【００４７】
次に、ユーザは、マウスやキーボード等を操作して、新規作成するデータ、例えば、振動発生装置２のＩＤ、看護業務を行う日時、看護業務の種類（看護業務の内容）、患者の氏名等を入力する。該入力操作は、第２の操作受付部３０６で受け付けられる（Ｓ２０４）。
【００４８】
また、ユーザがマウスやキーボード等を操作して、すでに登録されているデータを更新する場合（Ｓ２０２のＮｏ）、制御部３０２は、ＬＣＤ等の表示装置に記憶部３０１に記憶されているデータを表示画面に表示するように表示制御部３０４に指示し、表示制御部３０４は、ＬＣＤ等の表示装置に、記憶部３０１に記憶されているデータを表示する。
【００４９】
ユーザは、ユーザがマウスやキーボード等を操作して、編集したいデータを選択すると、該選択操作が第２の操作受付部３０６で受け付けられる（Ｓ２０５）。
【００５０】
次に、ユーザは、マウスやキーボード等を操作して、選択したデータ（振動発生装置２のＩＤ、看護業務を行う日時、看護業務の種類（看護業務の内容）、患者の氏名等）を編集する。該編集操作は、第２の操作受付部３０６で受け付けられる（Ｓ２０６）。
【００５１】
制御部３０２は、Ｓ２０４又はＳ２０６において、第２の操作受付部３０６で受け付けられた編集内容に基づいて、記憶部３０１のデータを更新するように更新部３０７指示する。更新部３０７は、制御部３０２からの指示に基づいて、記憶部３０１のデータを更新する（Ｓ２０７）。
【００５２】
制御部３０２は、記憶部３０１に記憶されているデータの編集操作が終了したかを判定する（Ｓ２０８）。編集操作が終了している場合（Ｓ２０８のＹｅｓ）、制御部３０２は、動作を終了する。また、編集操作が終了していない場合（Ｓ２０８のＮｏ）、制御部３０２は、Ｓ２０２から動作を継続する。
【００５３】
次に、図６を参照して、看護業務支援システム１のイベント通知時における動作について説明する。
【００５４】
振動指示装置３では、内蔵時計３０８の時刻と、記憶部３０１に記憶されている看護業務を行う日時との照合が常時なされている。つまり、内蔵時計３０８の時刻と記憶部３０１に記憶されている看護業務を行う日時とが同一か否かが常に監視されている（Ｓ３０１）。
【００５５】
そして、内蔵時計３０８の時刻が、何れかの看護業務を行う日時と同一になった場合（Ｓ３０１のＹｅｓ）、制御部３０２は、該看護業務を行う日時に関連付けられた看護業務の種類（内容）を確認する（Ｓ３０２）。制御部３０２は、看護業務の種類を確認すると、該看護業務の種類に関連付けられた振動の種類で振動するように振動発生装置２に指示する。
【００５６】
具体的には、制御部３０２は、該振動指示を、前記看護業務を行う日時に関連付けられたＩＤとともに送信するよう送信部３０３に指示する。送信部３０３は、制御部３０２の指示に基づいて、前記振動指示を、前記看護業務を行う日時に関連付けられたＩＤとともに送信する（Ｓ３０３）。
【００５７】
振動指示装置３の送信部３０３から送信された振動指示は、該振動指示とともに送信されたＩＤを有する振動発生装置２の受信部２０１で受信される（Ｓ３０４）。次に、振動発生装置２の制御部２０２は、受信部２０１で受信された振動指示に基づいて振動発生器２０３を振動させる（Ｓ３０５）。
【００５８】
以上のように、本実施形態に係る看護業務支援システム１は、患者の看護業務を支援するための看護業務支援システムであって、固有のＩＤが付与され、複数のベッドの寝床にそれぞれ設けられた振動発生装置２と、ベッド５とＩＤとが関連付けて記憶された記憶部３０１を有し、振動発生装置２に振動を発生するよう指示する振動指示装置３とを備えている。
【００５９】
本実施形態に係る看護業務支援システム１では、訪問看護や診療の前に、予めベッドを振動させることで、看者に訪問看護もしくは診療が行われることを伝達することができる。このため、訪問看護の際に患者がベッドから離れ、該患者の呼び出しや探索が必要となることを抑制できる。また、患者が確認のためにナースコール呼出を行い、その対応に時間をとられることを抑制できる。このため、看護業務を効率的に行うことができる。また、音声ではなく、振動により伝達を行うので、相部屋等の場合にも迷惑とならない。さらに、難聴の患者にも確実に伝達することができる。
【００６０】
また、病院や介護施設では、患者は、体調の不良や身の回りの世話などを頼むべく、ナースコール呼出により看護師を呼び出すことがしばしばあり、このナースコール呼出に対し、看護師がすぐに対応しないとナースコール呼出を繰り返すことがある。しかし本実施形態では、振動発生装置２に振動を発生するよう指示する操作指示を受け付ける第１の操作受付部３０５を備え、第１の操作受付部３０５で操作指示が受け付けられると、振動発生装置２に振動を発生するよう指示するよう構成されている。
【００６１】
このため、ナースコール呼出がなされた場合に、ナースが振動発生装置２に振動を発生するよう指示することで、振動発生装置２に振動を発生させ、ナースコールがきちんと伝達されたことを患者に伝えることができる。このため、患者がナースコール呼出を繰り返すことを抑制することができる。また、患者が、病院の対応に強い不満を持つことを低減することができる。さらに、ナースコール呼出に対応する看護婦が、一人の患者による一件の用事により、ナースコール呼出が複数回発生する繰り返しなされることにより、その対応に時間をとられることを防ぐことができる。この結果、看護業務が非効率となることを抑制できる。
【００６２】
また、本実施形態に係る看護業務支援システム１の振動指示装置３の記憶部３０１には、看護業務を行う患者のベッド５に対応する振動発生装置２のＩＤと、看護業務を行う日時とが関連付けて記憶され、振動指示装置３は、記憶部３０１に記憶されているＩＤ及び日時に基づいて、振動発生装置２に振動を発生するよう指示する。つまり、本実施形態では、記憶部３０１に記憶されている看護業務の日時に基づいて、看護業務が必要なベッドの振動発生装置２が自動で振動を発生するため、看護業務をより効率的に行うことができる。
【００６３】
また、本実施形態に係る看護業務支援システム１の振動指示装置３は、看護業務を行う患者のベッドに対応する振動発生装置２のＩＤ及び看護業務を行う日時の少なくとも一方の編集操作を受け付ける第２の操作受付部３０６と、第２の操作受付部３０６で受け付けた編集内容に基づいて、記憶部３０１に記憶されているＩＤ及び前記日時の少なくとも一方を更新する更新部３０７とを備えている。つまり、本実施形態では、看護業務を行う患者のベッドに対応する振動発生装置２のＩＤ及び看護業務を行う日時の少なくとも一方を必要に応じて編集することができるため、看護業務をさらに効率的に行うことができる。
【００６４】
また、本実施形態に発明に係る看護業務支援システム１の振動指示装置３は、看護業務の内容に応じて、振動発生装置２に発生させる振動の種類を変化させる。つまり、本実施形態では、看護業務の内容に応じて、振動発生装置２に発生させる振動の種類を変化させるので、患者が看護業務の内容を確認するためにナースコール呼出を行うことを抑制することができ、その対応に時間をとられることが減る。このため、看護業務を効率的に行うことができる。また、看護業務の内容が分かるので、患者の安心感が向上する。
【００６５】
さらに、本実施形態に係る看護業務支援システム１の振動発生装置２は、ベッドの長手方向に沿って延在するように設けられている。つまり、本実施形態では、振動発生装置２がベッドの長手方向に沿って延在するように設けられているので、患者がベッドで仰臥、伏臥等、種々の体勢をとっていても、確実に振動を伝達することができる。
【００６６】
（その他の実施形態）
なお、本発明の一実施形態である看護業務支援システム１を例に本発明を説明したが、本発明は、上記の実施形態に限定されるものではなく、本発明の目的を達成できる範囲での変形、改良等は本発明に含まれるものである。
【００６７】
例えば、上記実施形態では、内蔵時計３０８の時刻が、何れかの看護業務を行う日時と同一になった場合に、該看護業務の種類に関連付けられた振動の種類で振動するように振動発生装置２に指示する構成となっているが、看護業務を行う日時から所定の時間（例えば、５分〜１０分）前に、該看護業務の種類に関連付けられた振動の種類で振動するように振動発生装置２に指示する構成としてもよい。
【００６８】
また、振動発生装置２の記憶部２０４に、看護業務の種類ごとに付与された識別子（ＩＤ）と振動の種類とを関連付けて記憶し、振動指示装置３からは、看護業務の種類に付与された識別子（ＩＤ）を送信するようにしてもよい。この場合、振動発生装置２において、振動指示装置３から送信される識別子に関連付けて記憶部２０４に記憶されている振動の種類が参照され、振動発生装置２の制御部２０２が該振動の種類で振動発生器２０３を振動させる。
【００６９】
さらに、ナースコールシステムと連動させ、患者がナースコール呼出をした場合、該ナースコール呼出をした患者のベッド５に設けられた振動発生装置２のＩＤを振動指示装置３へ送信し、振動指示装置３の親機３Ａが複数の子機３Ｂへ前記振動発生装置２のＩＤを送信するように構成してもよい。この場合、上記ナースコール呼出に対応可能なユーザが、振動指示装置３の親機３Ａ又は子機３Ｂを操作して、振動発生装置２に振動を発生するように指示する。また、この場合、送信されてきた振動発生装置２のＩＤを利用して、ユーザが振動発生装置２のＩＤを入力することなく、振動発生装置２に振動を発生するように指示できるように構成してもよい。
【産業上の利用可能性】
【００７０】
以上で説明したように、本発明の看護業務支援システム及び看護業務支援方法は、病院や介護施設における患者への看護行為の効率化を支援することができる。
【符号の説明】
【００７１】
１…看護業務支援システム
２…振動発生装置
２０１…受信部
２０２…制御部
２０３…振動発生器
２０４…記憶部
３…振動指示装置
３Ａ…親機
３Ｂ…子機
３０１…記憶部
３０２…制御部
３０３…送信部
３０４…表示制御部
３０５…第１の操作受付部
３０６…第２の操作受付部
３０７…更新部
３０８…内蔵時計
４…ネットワーク
５…ベッド
６…アクセスポイント
【図１】
0006551838.tif 000002
【図２】
0006551838.tif 000003
【図３】
0006551838.tif 000004
【図４】
0006551838.tif 000005
【図５】
0006551838.tif 000006
【図６】
0006551838.tif 000007